(57)【特許請求の範囲】
【請求項１】
架空又は実在の動物又はその部分を模した輪郭形状を有する透光性又は半透光性の成形体に、当該動物の目元発光要素として単数又は複数の透光性のライトガイド部材が取着されてなる装飾造形物であって、
前記ライトガイド部材は、その一端側から、室内の全部又は一部を照らす照明光又は自然光を拾って入射させ、入射した前記照明光又は自然光を、その他端側から、前記動物の目元の印象を強める印象光又は前記動物の目元を表現する表示光として再び室内に向けて出射させる態様で、前記成形体内に完全に又は部分的に埋設されていることを特徴とする装飾造形物。
【請求項２】
前記成形体は、少なくとも、前記動物又はその部分の正面及び背面を模した輪郭形状を有する共に、
前記ライトガイド部材は、前記印象光によって印象を強められた前記動物の目元、又は、前記表示光によって表現された前記動物の目元は、前記動物又はその部分の正面側からは視認容易である反面、前記動物又はその部分の背面側からは、前記成形体がその正面側から背面側にかけて透光性又は半透光性であるにもかかわらず、視認困難である態様に配設されていることを特徴とする請求項１記載の装飾造形物。
【請求項３】
前記ライトガイド部材の前記一端側は、上向き又は斜め上向きに配置されていることを特徴とする請求項１又は２記載の装飾造形物。
【請求項４】
前記ライトガイド部材は、前記成形材料と較べて屈折率が高い素材、又は、屈折率が相対的に高いコア材と屈折率が相対的に低いクラッド材との複合素材からなることを特徴とする請求項１、２又は３記載の装飾造形物。
【発明の詳細な説明】
【技術分野】
【０００１】
この発明は、ライトガイド部材を用いる装飾造形物に関する。
【背景技術】
【０００２】
例えば、この種の装飾置物としては、特許文献１に記載のものが知られている。この装飾置物は、図１５に示すように、ホタルの形態を模した擬似ホタル発光体１と、この擬似ホタル発光体１の尾部を発光させるための専用光源２と、基端部３ａが専用光源２に結合され、先端部３ｂが擬似ホタル発光体１の体内に埋設された光ファイバ３と、光ファイバ３にテープで巻かれて結合される疑似植物の枝葉４とから概略構成されている。ここで、光ファイバ３は、疑似植物の幹部を構成している。また、枝葉は天然のものが用いられても良い。この構成において、専用光源２が点灯すると、光ファイバ３に導かれて、擬似ホタル発光体１の体内の尾部に到達した専用光源２の光は、光ファイバ３の先端部３ｂ及び先端部近傍の側面から擬似ホタル発光体１の外部に漏洩する。この構成によれば、植物の枝葉にとまる天然のホタルが、尾部から、あたかも実際に発光しているかのような、幻想的な印象又は臨場感を与えることを期待できる。
【先行技術文献】
【特許文献】
【０００３】
【特許文献１】特開２００６−２４４８９３号公報
【発明の概要】
【発明が解決しようとする課題】
【０００４】
ところで、ホタルには植物の枝葉が付き物であるとしても、枝葉が付き物でない動物、自然物、建造物、又は乗り物も多数存在するので、特許文献１の発明は、装飾造形物に対する適用範囲が限られる、という不都合がある。
何故なら、特許文献１の発明を、枝葉との関連性に乏しい装飾置物に適用すれば、長尺の光ファイバが、置物本体からはみ出る構成となるため、不恰好である。この不恰好さを隠すために、光ファイバを枝葉植物に扮装させても、ホタルではないので、不自然である。
また、置物本体の特徴部から外部に延伸する光ファイバは、装飾置物を設置する際、運搬する際、邪魔であり、不便である。加えて、置物本体の特徴部から外部に延伸する光ファイバが不注意な取扱いによって破損する虞もある。
【０００５】
一方、動物を模した従来のガラス置物では、不透明な着色ガラスで、模様や特徴部位を表現することが多く、例えば、図１６に示すフクロウを模したガラス置物５では、着色ガラスで目玉６が形成される。なお、植物の花芯を表現する際にも、様々の色彩の着色ガラスが用いられる。この種のガラス置物も、他の物品と同様に、周囲照明光の明暗変化や自然光の強弱、光が到来する方向の推移などに応じて、それにふさわしい陰陽感（輝きや陰り）を漂わせることができる。しかしながら、それは、ガラス置物全体としての陰陽感であり、目元などの代表的な特徴部位が、まわりの部位に較べて、ひときわ陰陽感を漂わせる訳ではない。それゆえ、この種のガラス置物は、美観の変化性多様性に乏しい、という美的限界がある。
【０００６】
この発明は、上述の事情に鑑みてなされたもので、室内照明光や自然光を含む外部光の明るさや到来方向に応じた、造形物の美観を創出することができるライトガイド部材を用いる装飾造形物を提供することを目的としている。
【課題を解決するための手段】
【０００７】
上記課題を解決するために、この発明の構成は、架空又は実在の動物又はその部分を模した輪郭形状を有する透光性又は半透光性の成形体に、当該動物の目元発光要素として単数又は複数の透光性のライトガイド部材が取着されてなる装飾造形物に係り、前記ライトガイド部材は、その一端側から、室内の全部又は一部を照らす照明光又は自然光を拾って入射させ、入射した前記照明光又は自然光を、その他端側から、前記動物の目元の印象を強める印象光又は前記動物の目元を表現する表示光として再び室内に向けて出射させる態様で、前記成形体内に完全に又は部分的に埋設されていることを特徴としている。
【発明の効果】
【０００８】
この発明の構成によれば、周囲照明光や自然光を含む外部光の明るさや到来方向（この発明の装飾造形物と光源との位置方位関係）に応じて、美観を動的に変化させることができる。また、ライトガイド部材が装飾造形物の中に埋設されるので、装飾造形物の外観美が損なわれない上、設置時、及び運搬時の取扱いが容易である。また、専用光源を必要としないので、省電力の点でも好ましい。
【図面の簡単な説明】
【０００９】
【図１】この発明の第１の実施例である装飾造形物（フクロウ置物）の概略構成及び外観を示す斜視図である。
【図２】この発明の第２の実施例である装飾造形物（フクロウ置物）の概略構成及び外観を示す斜視図である。
【図３】この発明の第１の参考例である装飾造形物（フクロウ置物）の概略構成及び外観を示す斜視図である。
【図４】この発明の第２の参考例である装飾造形物（樹上フクロウ置物）の概略構成及び外観を示す斜視図である。
【図５】この発明の第３の実施例である装飾造形物（キョウリュウ置物）の概略構成を示す斜視図である。
【図６】この発明の第４の実施例である装飾造形物（ゾウ置物）の概略構成を示す斜視図である。
【図７】この発明の第３の参考例である装飾造形物（自動車置物）の概略構成を示す斜視図及び側面である。
【図８】この発明の第５の実施例である装飾造形物（トナカイ置物）の概略構成を示す斜視図である。
【図９】この発明の第６の実施例である装飾造形物（エイ置物）の概略構成を示す斜視図である。
【図１０】この発明の第４の参考例である装飾造形物（天道虫置物）の概略構成を示す斜視図である。
【図１１】この発明の第５の参考例である装飾造形物（花置物）の概略構成を示す斜視図である。
【図１２】この発明の第６の参考例である装飾造形物（イチゴ置物）の概略構成を示す斜視図である。
【図１３】この発明の第７の実施例である装飾造形物（カタツムリ置物）の概略構成を示す斜視図である。
【図１４】この発明の第８の実施例である装飾造形物（フクロウ置物）の概略構成を示す斜視図である。
【図１５】第１の関連技術を説明するためのである。
【図１６】第２の関連技術を説明するための図である。
【００１０】
この発明は、架空又は実在の動物又はその部分（例えば、動物の頭部）を模した装飾造形物に広く適用できる。この明細書において、装飾造形物とは、完全なる立体造形物に限る意味ではなく、レリーフ状の造形物はもちろんのこと、プレート状の造形物も含む概念である。また、全体の一部として動物などが模されている造形物も、この発明の対象となる装飾造形物である。
【実施形態１】
【００１１】
以下、この発明の好適な実施形態について参考例を交えて説明する。
この発明の実施形態及び参考例に係る装飾造形物は、所定の特徴部位を有する架空又は実在の動物、植物、自然物、建造物、又は乗り物（以下、簡単に、動物などとも言う）を模した透光性又は半透光性の成形体（以下、簡単に、透明成形体とも言う）と、動物などの特徴部位の美感を高めるための発光要素として、上記成形体の体内に、所定の曲線経路を描いて埋設された単数又は複数のライトガイド部材とから概略構成されている。このライトガイド部材は、外部からの光を入射させる光入射端面と、所定の曲線経路を形成する光ガイド部と、印象光を出射させる光出射部とからなると共に、その何れの部位も成形体の輪郭表面からはみ出ることなく、成形体の体内に埋設されているのが好ましい。なお、例外として、ライトガイド部材の一部が、成形体の表面から露出又は突出する場合であっても、この露出又は突出部分が、装飾造形物の部分を構成するときは、この露出又は突出部分は、装飾造形物の美観を損なう余計物ではなく、美感を生み出すものであるので、この発明の範囲内である。
【００１２】
装飾造形物の体内では、ライトガイド部材の光入射端面は、外部光を取り込み易い部位（例えば、上向き又は下向き）に配置され、光出射部は、動物などの所定の特徴部位の構成要素として配置され、あるいは、特徴部位を内側から照らせる位置に配置される。光ガイド部は、光入射端面及び光出射部の位置や向きが特定されると、その長さと曲線形状が定まる。
上記構成において、光入射端面から入射した外部光は、光ガイド部に導かれ、光出射部から、動物などを模した装飾造形物の所定の特徴部位を美的に印象つける印象光（意匠光）、あるいは、表示標識機能を高める表示標識光として外部に出射する。ここで、光出射部には、光を出射する端面に限らず、美観上機能上の要望に応じて、所望の光を出射する（所定の長さを持つ）側面も含まれる。
【００１３】
ここで、「特徴部位」とは、動物などが本来的に又は固有に備える部分のうち、装飾造形物を創作する者が表現したい外観部分を言う。動物の目元や植物の花部を好適な特徴部位として挙げることができるが、これらに限定されない。例えば、動物の角部、毛皮や羽毛の模様、植物の茎や穂や葉なども特徴部位となり得る。
【００１４】
また、外部光には、例えば、自然光や、室内照明灯などの各種光源からの照明光が含まれるが、これらに限らず、例えば、鏡面体などの二次光源からの反射光も含まれる。また、実現したい美観表現に応じて、ライトガイド部材、とくに光入射端面や光出射部の構造形状や配置状態を設定変更することで、例えば、輪郭が鮮明な輝き、ぼんやりとした輝き、やわらかな輝き、眩しい輝きなど、多様な輝き（印象光、機能光）を実現でき、また、輝きを発散させたり、輝きに階調性をもたせることもできる。
【００１５】
ライトガイド部材の光入射端面は、常に上方を向く配置とは限らず、可能な限り、外部光の到来方向に向けて配置されるのが好ましい。同様に、光出射端面は、看る者の目線や視野方向を考慮して、看る者の側に向けて配置されるのが好ましい。一般に、外部光の到来方向と視認される方向とは異なるので、原則として、ライトガイド部材の光入射端面の光軸方向と、光出射端面の光軸方向とは一致しない。ライトガイド部材の光入射端面及び光出射端面を、上記のような配置構成とすれば、装飾造形物の物品色（受けた外部光のうち表面で反射散乱する光により人間の網膜を刺激する物体の性質）や裏面側から入射して表面側に抜ける背後透過光に較べて、一段と明るい印象光を光出射端面から出射できるので、薄暗い室内でも、明るい室内でも、動物などの所定の特徴部位を輝かせることができる。
【００１６】
ここで、透明成形体もライトガイド部材も透明なら、透明成形体の体内に埋設されたライトガイド部材は、透明成形体から容易には識別できないので、装飾造形物の透明美観性が損なわれることはない。しかしながら、例えば、透明成形体とライトガイド部材との屈折率差を可能な限り小さくしたり、透明成形体の表面をフロスト面、凹凸面、レンズ面、又は波面にしたり、着色や模様付けするなどの工夫をすれば、装飾造形物の透明美観性をさらに高めることができる。このようにすれば、特徴部位での光反射による輝きとは異なる、特徴部位の孤立的な輝きが、看る者に神秘的な美感を引き起こす。なお、透明成形体とライトガイド部材（コア部）との屈折率差は、任意であるが、０．４以下に設定されるのが好ましく、０．２以下であれば、さらに好適である。また、ライトガイド部材に反射防止膜を施すようにしても良い。
【００１７】
また、好適なライトガイド部材としては、ステップインデックス形の光ファイバ又はグレーデッドインデックス形の光ファイバ、又は、側面に単数又は複数の光出射部（光出射側面）を有する側面放射型の光ファイバを挙げることができるが、これらに限定されない。例えば、コア部とクラッド部とからなる通常の光ファイバに代えて、成形体素材のそれよりも高い屈折率を有するコア部のみからなる光ファイバを用いても良い。また、美的ライトガイド部材として機能する限り、光ファイバに代えて、例えば、平板状の導波路でも良く、波板状や各種曲面板状の導波路でも良い。
【００１８】
透明成形体の材料としては、低融点ガラスやクリスタルガラスを含む公知の各種ガラス素材及び各種プラスチック素材を好適に挙げることができるが、これに限定されない。同様に、ライトガイド部材（光ファイバ）としても、公知の各種ガラス素材及び各種プラスチック素材を好適に挙げることができるが、これに限定されない。ここで、透明成形体の材料とライトガイド部材との組み合わせは、同質の材質同士の組み合わせに限らず、異質の材質間の組み合せでも良い。しかしながら、いずれの組み合せでも、ライトガイド部材が溶融状態の透明成形体の体内で溶融損壊しないように、透明成形体の材料に対して、（少なくともコア部の）融点又は軟化点が高いライトガイド部材を用いるのが好ましい。
【００１９】
ここで、ライトガイド部材としてガラスの光ファイバが用いられるなら、例えば、太さ１０μｍ−１０ｍｍの光ファイバを所定の断面形状に束ねて光出射端面を得るようにしても良く、必要に応じて、単一線を用いても良い。これに対して、ライトガイド部材としてプラスチックの光ファイバが用いられるなら、例えば、太さ５０μｍ−２０ｍｍの単一線を好適に用いることができるが、必要に応じて、所定の断面形状に束ねて用いることもできる。また、所定の断面形状を得るために、光出射端面側のみ複数の光ファイバ（単一線）を束ねる構成とし、一方、光入射端面側では、異なる方向から到来する外部光を採光するために、複数の光ファイバ（単一線）を束ねずに、個々の光ファイバが別々の方向を向く構成としても良い。また、様々な美観表現を実現するために、ライトガイド部材（光ファイバ）の光出射端面を、点状、粒状、真円形、半円形、楕円形、半楕円形、矩形、三角形、円筒形、スター形、三ヶ月形の形状とすることができ、不規則で無秩序な形状とすることもできる。
【００２０】
この実施形態の装飾造形物は、例えば、次のようにして、作られる。
まず、所定の寸法の光ファイバに所望の曲線形状（例えば、Ｃ字状又はＬ字状）を与えて、ライトガイド部材を作成する。ここで、ライトガイド部材が太径のため、光ガイド部を曲げるのが困難なときは、曲率の大きな曲線部の断面形状を他の部位よりも細径とすると、曲げるのが容易となる。なお、ライトガイド部材（光ファイバ）の両端面は、予め研磨しておくのが好ましい。次に、左右一対のライトガイド部材を、装飾造形物を形成するための金型内の、所定の特徴部位が形成される空間領域に配置する。具体的には、ライトガイド部材の光入射端面を、想定される外部光の到来方向に向けて、空間領域内の所定の位置に配置し、また、光出射面を、空間領域内の所定の特徴部位形成領域又はその近傍に配置する。
【００２１】
ここで、左右一対のライトガイド部材を上記空間領域に安定的に配置するためには、透明な成形体材料と同質の（又は融点又は軟化点が透明な成形体材料よりも高い）透明な結合部材を用いて、左右一対のライトガイド部材同士を、互いの位置関係と全体の姿態を保持する態様で固定し、この後、結合部材ごと、金型内に配置するようにしても良い。その際、結合部材に、一対のライトガイド部材同士を金型内に安定的に配置する機能を持たせるようにしても良い。次に、溶融又は軟化状態の透明な成形体材料（ガラス又はプラスチック）を型内に注入充填する。なお、溶融又は軟化状態の透明成形体の材料を型内に注入充填する際には、ライトガイド部材を、透明成形体の材料の溶融温度又は軟化温度又はその近傍の温度（結合部材を用いるときは、結合部材が溶融又は軟化しない程度の温度）にまで予熱しておくのが好ましい。この後、金型内の透明成形体を冷却すると、ライトガイド部材（及び結合部材）が埋設された一体成形型の装飾造形物が完成する。
【実施例１】
【００２２】
以下、図面を参照して、この発明の実施例について、詳細に説明する。
図１は、この発明の第１の実施例であるライトガイド発光要素を備える装飾造形物（フクロウ置物）の概略構成及び外観形状を示す斜視図である。
この例のフクロウ置物７は、同図に示すように、フクロウを模した透明成形体８と、透明成形体８の頭部に、美的発光要素として埋め込まれた左右一対の光ファイバ（ライトガイド部材）９とから構成されている。
【００２３】
各光ファイバ９は、フクロウ置物７の上頭部内で、上方又は斜め上方を向く態様で配置された光入射端面９ａと、Ｃ字状又はＬ字状に湾曲する光ガイド部９ｂと、フクロウ置物７の特徴部位である瞳１０の部位に配置された光出射端面９ｃとから構成されている（同図（ａ））。なお、光ファイバの形状は、Ｃ字状又はＬ字状に限らず、フクロウ置物７の上頭部から正面顔部の瞳１０の部位に亘る限り、任意の湾曲形状とすることができる。また、光入射端面９ａが配置される部位は、フクロウ置物７の上頭部に限らず、外部光Ｌｉを取り込める部位である限り、任意である。
この例では、光出射端面９ｃは、フクロウ置物７の正面顔部の前方を向く態様で、半球状に突出した瞳１０の輪郭の内側に配置されて、瞳１０の一部を構成している。半球状の瞳１０は、そのレンズ作用により、印象光Ｌｏを発散させ、視野角を広げ、瞳１０を大きく見せる機能を備えている。
【００２４】
上記構成によれば、光入射端面９ａから入射した外部光Ｌｉは、光ガイド部９ｂに導かれて、光出射端面９ｃから印象光Ｌｏとして再び出射するので、看る者に美感を引き起こすことができる。加えて、看る者は、フクロウ置物７の瞳１０の輝きＬｏをフクロウ置物７の正面側からは視認できるが、フクロウ置物７が透明体でありながら、背後からは輝きＬｏを視認できないので、看る者に不思議な美感を引き起こすことができる。その理由は、光出射端面９ｃが、フクロウ置物７の正面側外方を向いているため、光出射端面９ｃからは、印象光Ｌｏは正面側外方に出射するが、わずかながら、一部の光は、光出射端面９ｃで反射して後側に向かう。しかしながら、後方側に向かう光は、フクロウ置物７の裏面側には抜けずに、光ファイバ９の導波特性により、光ガイド部９ｂを経由して、光入射端面９ａに戻るためである。
【実施例２】
【００２５】
図２は、この発明の第２の実施例であるライトガイド美的発光要素を備える装飾造形物（フクロウ置物）の概略構成及び外観を示す斜視図である。
このフクロウ置物１１は、フクロウを模した透明成形体１２と、この透明成形体１２の体内にライトガイド部材として埋設された左右１対の光ファイバ１３（もしあれば、結合部材も。以下の実施例において同様）とから概略構成されている。
この実施例の光ファイバ１３は、図２に示すように、平坦で広口の光入射端面１３ａを有するテーパ状の光入射部と、例えばＣ字状又はＬ字状に湾曲する光ガイド部１３ｂと、半球状又は略球状の凸曲面で広口の光出射端面１３ｃを有するテーパ状の光出射部とから構成されている。この例の光出射端面１３ｃは、同図（ｂ）に示すように、フクロウ置物１１の表面輪郭を構成している。
【００２６】
この実施例では、光入射端面１３ａは、透明成形体１２の上頭部に上向きの態様で、光出射端面１３ｃは、透明成形体１２の顔正面に瞳１４の輪郭面をなす態様で、それぞれ配置されている。
この例の構成によれば、光入射端面１３ａが広口のため、外部光Ｌｉの入射量を増やすことができ、それゆえ、フクロウ置物１１の瞳１４を一段と強く輝かせることができる。加えて、光出射端面１３ｃが半球状又は略球状であるため、印象光Ｌｏを拡散させることができ、それゆえ、フクロウ置物１１の瞳１４を大きく輝かせることができる。なお、光入射端面の断面積を光出射端面のそれよりも大きくすれば、瞳１４の輝度を一段と高くすることができる。また、光入射端面１３ａも平坦面に限らず、レンズ曲面としても良い。
【参考例１】
【００２７】
図３は、この発明の第１の参考例であるライトガイド発光要素を備える装飾造形物（フクロウ置物）の概略構成及び外観を示す斜視図である。
この実施例のフクロウ置物１５は、図３に示すように、フクロウを模した透明成形体１６の体内に、光出射端面１７ｃが瞳１８の部位に配置され、光ガイド部１７ｂが、基底部Ｂに向けて垂下することで、光入射端面１７ａが、下向きに配置される態様で、光ファイバ（ライトガイド部材）１７が埋め込まれて構成されている。それゆえ、この例の構成によれば、光入射端面１７ａが下方から到来する外部光を受けると、瞳１８を輝かせることができる。
【００２８】
この例のフクロウ置物１５が、下方から到来する外部光を受けるためには、例えば、図３に示すように、フクロウ置物１５を、散乱光Ｌｓを上方に放射する光散乱台ＳＴなどの上に載置すると良い。ここで、好適な光散乱台ＳＴとしては、例えば、下面や内部に光散乱性の反射面を有する透明な肉厚ガラスプレートや、裏面側から照明光を受ける光拡散性又は光透過性の載置台などに載置して好適である。
【参考例２】
【００２９】
図４は、この発明の第２の参考例であるライトガイド発光要素を備える装飾造形物（樹上フクロウ置物）の概略構成及び外観を示す斜視図である。この樹上フクロウ置物１９は、同図に示すように、樹木上に並んだ複数のフクロウを模した透明成形体２０と、この透明成形体２０の体内に美的発光要素として埋め込まれた６本の光ファイバ２１（ライトガイド部材）とから構成されている。この透明成形体２０は、樹木を模した樹木成形体２０ａと３匹のフクロウを模したフクロウ成形体２０ｂとから構成されている。光ファイバ２１は、樹木成形体２０ａの側端部２２に配置された光入射端面２１ａ（光ファイバ２１の基端部）と、樹木成形体２０ａの体内からフクロウ成形体２０ｂの体内にまで延びる光ガイド部２１ｂと、フクロウ成形体２０ｂの瞳２３の部位に配置された光出射端面２１ｃ（光ファイバ２１の先端部）とから構成されている。
【００３０】
この例の構成によれば、樹木成形体２０ａの側端部２２に、例えば、ＬＥＤ照明灯２４や照明スタンドなどの外部光源を近づけ、樹木成形体２０ａの側端部２２を照らすと、各光入射端面２１ａから入射した外部光Ｌｉが、各光ガイド部２１ｂに導かれて、各フクロウ成形体２０ｂの光出射端面２１ｃから印象光Ｌｏとして再び出射するので、フクロウを模したフクロウ成形体２０ｂの瞳２３が輝いて見える。
【実施例３】
【００３１】
図５は、この発明の第３の実施例であるライトガイド発光要素を備える装飾造形物（キョウリュウ置物）の概略構成を示す斜視図である。
このキョウリュウ置物２５は、図５に示すように、キョウリュウの形状を模した透明成形体２６の中に、左右１対の光ファイバ２７が埋設されて構成されている。光入射端面２７ａ（光ファイバ基端部）は、キョウリュウ置物２５の背中の部位にて上向きに配置され、光出射端面２７ｃ（光ファイバ先端部）はキョウリュウ置物２５の瞳２８の部位又はその近傍に配置されている。なお、図５のキョウリュウ置物２５では、長尺の光ファイバ２７を用いたが、適宜、短尺の光ファイバを用いて、光入射端面２７ａも頭部に配置するようにしても良い。
【００３２】
上記構成によれば、室内照明光などの外部光Ｌｉが、キョウリュウ置物２５の背中を照らすと、光入射端面２７ａから入射した外部光Ｌｉは、光ガイド部２７ｂに導かれて、光出射端面２７ｃから印象光Ｌｏとして再び出射するので、キョウリュウ置物２５の瞳２８が鋭く光る。それゆえ、看る者に美感を引き起こすことができる。なお、光入射端面２７ａは、キョウリュウ置物２５の背中に限らず、外部光を受け得る部位である限り、どのような部位に配置されても良く、例えば、キョウリュウ置物２５の頭部に配置されても良い。
【実施例４】
【００３３】
図６は、この発明の第４の実施例であるライトガイド発光要素を備える装飾造形物（ゾウ置物）の概略構成を示す斜視図である。
このゾウ置物２９は、同図（ａ）に示すように、ゾウを模した透明成形体３０の頭部及び鼻内に、左右一対の長めの光ファイバ３１が美的発光要素として埋設されて構成されている。この例では、光入射端面３１ａ（光ファイバ基端部）が、ゾウ置物２９の斜め上方を向く鼻先３２の部位に配置され、光ガイド部３１ｂが、長尺の鼻内に埋設され、光出射端面３１ｃ（光ファイバ先端部）が、瞳３３の部位に配置されている。ここで、ゾウ置物２９の鼻を、ゲル部材や軟質プラスチックなどの材質を用いて構成すれば、鼻先３２（光入射端部３１ａ）を外部光Ｌｉの到来方向に向けることができるので、周囲の照明状況に応じて、外部光Ｌｉを効率良く取り込むことができる。なお、長めの光ファイバ３１に代えて、図６（ｂ）に示すように、光ファイバ３４の光入射部３４ａを、像置物３５を構成する透明成形体３６の頭部３７の体内に設けても良い。
【参考例３】
【００３４】
図７は、この発明の第３の参考例であるライトガイド発光要素を備える装飾造形物（自動車置物）の概略構成を示す斜視図及び側面図である。この自動車置物３８は、同図に示すように、自動車の形状を模した透明成形体３９の体内に、２本の光ファイバ４０が埋設されて構成され、光ファイバ基端部である光入射端面４０ａは、自動車置物３８の天井部に配置され、先端部である光出射端面４０ｃはヘッドライト４１の部位に配置されている。
【００３５】
上記構成によれば、室内照明光などの外部光Ｌｉが、自動車置物３８の天井部を照らすと、光入射端面４０ａから入射した外部光Ｌｉが、光ガイド部４０ｂに導かれ、光出射端面４０ｃから印象光Ｌｏとして再び出射するので、自動車置物３８のヘッドライト４１が光る。それゆえ、看る者に美感を引き起こすことができる。
【実施例５】
【００３６】
図８は、この発明の第５の実施例であるライトガイド発光要素を備える装飾造形物（トナカイ置物）の概略構成を示す斜視図である。このトナカイ置物４２は、トナカイを模した透明成形体４３と、トナカイ置物４２の分岐状の角部４４を実質的に構成する光合流型の光ファイバ４５とから構成されている。各光ファイバ４５は、同図に示すように、分岐状の角部４４に合わせて、複数の光入射端面（光ファイバ４５の基端部）４５ａと、各光入射端面４５ａにつながる複数の光ガイド部４５ｂと、これらの光ガイド部４５ｂが合流結合して１本化した後の単一の光出射部４５ｃとから構成されている。光出射部４５ｃは、トナカイを模した透明成形体４３の瞳４６の部位に配置されている。
【００３７】
上記構成によれば、周囲照明光などの外部光Ｌｉが分岐状の角部４４を照らすと、各光入射端面４５ａから入射した外部光Ｌｉは、合流点で合波して強めながら光ガイド部４５ｂに導かれ、光出射部４５ｃから、強い印象光Ｌｏとなって外部に出射するので、トナカイ置物４２の瞳４６を眩しく輝かせることができる。それゆえ、看る者に美感を引き起こすことができる。なお、この光合流型の光ファイバ４５として、側面放射型の光ファイバを用いて、角部４４に沿って光が漏れ出るようにすれば、一段と幻想的な角部４４を演出できる。また、光ファイバ自体が角部である構成に代えて、光ファイバを角部成形体の体内に埋設する構成としても良い。
【実施例６】
【００３８】
図９は、この発明の第６の実施例であるライトガイド発光要素を備える装飾造形物（エイ置物）の概略構成を示す斜視図である。
このエイ置物４７では、同図に示すように、エイを模した透明成形体４８の中に左右一対の光ファイバ４９が埋設されていて、光入射端面４９ａは、背中に上向きに配置され、光出射部４９ｃはエイ置物４７の瞳５０の部位に配置されている。上記構成によれば、外部光Ｌｉが、光入射端面４９ａから入射すると、光ガイド部４９ｂに導かれ、光出射部４９ｃから印象光Ｌｏとして再び出射するので、エイ置物４７の瞳５０が輝き、美感を引き起こすことができる。
【参考例４】
【００３９】
図１０は、この発明の第４の参考例であるライトガイド発光要素を備える装飾造形物（天道虫置物）の概略構成を示す斜視図である。
この例の天道虫置物５１は、同図（ａ）に示すように、天道虫を模した透明成形体５２の体内に、双方向型の光伝送路として使用する３本のＵ字状の光ファイバ５３が埋め込まれて構成されている。光ファイバ５３の一方の光入出射端面５３aは、天道虫の右側の斑点模様形成部位に外向きの態様で配置され、他方の光入出射端面５３ｃは、天道虫の左側の斑点模様形成部位に外向きの態様で配置されている。
【００４０】
上記構成によれば、同図（ｂ）に示すように、図中右側の光入出射端面５３ａから入射した外部光Ｌｉは、光ガイド部５３ｂに導かれて、図中左側の光入出射端面５３ｃから印象光Ｌｏとして再び出射するので、図中左側の斑点模様の美観を高めることができる。一方、図中左側の光入出射端面５３ｃから入射した外部光Ｌｉは、光ガイド部５３ｂに導かれて、図中右側の光入出射端面５３aから印象光Ｌｏとして出射するので、図中右側の斑点模様の美観も高めることができる。なお、斑点模様形成部位には、透明性が損なわれない限り、着色を施しても良い。
【参考例５】
【００４１】
図１１は、この発明の第５の参考例であるライトガイド発光要素を備える装飾造形物（花置物）の概略構成を示す斜視図である。この花置物５４は、花を模した透明成形体５５の体内に、複数本の光ファイバ５６が美的発光要素として埋め込まれて構成されている。光ガイド部５６ｂは、台座５７の体内から、花置物５４の花軸Ｋの体内を通り、花びらの中心部である半球状又は略球状の花芯Ｓ又はその近傍にまで延設されている。かくして、光入射端面５６ａ（光ファイバ基端部）は、台座５７の体内で下向きに配置され、光出射端面５６ｃ（光ファイバ先端部）が、半球状又は略球状の花芯Ｓに配置されて、印象光Lｏを出射する。なお、光出射端面５６ｃは、それ自身が、半球状又は略球状の花芯Ｓ又はその一部を構成しても良い。
【００４２】
なお、光ファイバ５６として、側面放射型の光ファイバを用いて、花軸Ｋからも光が漏れ出るようにすれば、異なる美感を引き起こすこともできる。また、台座５７に着脱自在の植付け穴を設け、必要に応じて、花の個数を増減できる構成とすることもできる。この花置物５４は、光入射部５６ａが下向き配置であるので、裏面側から照明光を受ける光透過性の載置台などに載置して好適である。
【参考例６】
【００４３】
図１２は、この発明の第６の参考例であるライトガイド発光要素を備える装飾造形物（イチゴ置物）の概略構成を示す斜視図である。
この例のイチゴ置物５８は、イチゴを模した透明成形体５９と、この透明成形体５９の体内にランダムに埋め込まれた多数のＵ字型の微細な光ファイバ６０とから構成されている（同図（a））。この例の光ガイド部６０ｂは、双方向型の光伝送路としての役割を担い、各光ファイバ６０の両端面は、ともに、光入出射端面６０a、６０cとして外向きに配置されることで、つぶつぶ模様６１の光斑点が形成される（同図（ｂ））。
【実施例７】
【００４４】
図１３は、この発明の第７の実施例であるライトガイド発光要素を備える装飾造形物（カタツムリ置物）の概略構成を示す斜視図である。
このカタツムリ置物６２は、図１３に示すように、カタツムリを模した透明成形体６３と、この透明成形体６３の体内に美的発光要素として埋め込まれた左右一対の光ファイバ６４とから構成されている。各光ファイバ６４は、光入射端面６４ａと、光ガイド部６４ｂと、光出射端面６４ｃとから構成されていて、カタツムリの背中（光入射端面６４ａ）で受けた外部光Ｌｉを目玉６５までガイドして、光入射端面６４ａから印象光Ｌｏを出射して、カタツムリ置物のマッチ状に飛び出した目玉６５を輝かせる。
【００４５】
この例では、図１３に示すように、光ガイド部６４ｂの先端軸部６４ｄが、透明成形体６３から飛び出して、カタツムリ置物のマッチ状の目６６を形成して美的外観を構成する。この場合の光ガイド部６４ｂの先端軸部６４ｄは、透明成形体６３からはみ出すことで、美観を損なう余計物ではない。なお、図１３（ａ）のカタツムリ置物６２と、図１３（ｂ）のカタツムリ置物６７との違いは、外部光Ｌｉを受ける向きが異なるだけである。
【実施例８】
【００４６】
図１４は、この発明の第８の実施例であるライトガイド発光要素を備える装飾造形物（フクロウ置物）の概略構成を示す斜視図である。
この例のフクロウ置物６８は、フクロウを模した透明成形体６９と、この透明成形体６９の頭部に、美的発光要素として埋め込まれた輪帯状の光ファイバ７０とから構成されている。この輪帯状の光ファイバ７０は、例えば、ガラス（又はプラスチック）からなる透明な心材７１の外周回りを細線の光ファイバ束７２で被覆することで形成され、光入射端面７０ａ、例えばＣ字状又はＬ字状に湾曲する光ガイド部７０ｂ、及び光出射端面７０ｃのいずれも、輪帯状に形成されている。
【００４７】
この例の構成によれば、輪帯状の光出射端面７０ｃから印象光Ｌｏが出射するので、瞳１０Ｃが輪帯状に輝く美観を得ることができる。なお、輪帯状の光ファイバ７０の形状は、円形や楕円形や多角形に限らず、半円形や半楕円形でも良く、要するに、美観を表現できる限り、任意の形状とすることができる。また、輪帯状の光出射端面７０ｃの中心部に相当する瞳の部位は、図１４に示すように、着色７３を施すようにしても良い。
【００４８】
以上、この発明の実施例を図面を参照して詳述してきたが、具体的な構成はこの実施例に限られるものではなく、この発明の要旨を逸脱しない範囲の設計の変更などがあってもこの発明に含まれる。例えば、この発明は、装飾置物に限らず、装飾壁掛けなどにも適用できる。また、所定の特徴部位及び光入射端面以外の部位（例えば、台座など）又は輪郭表面は、不透光性材料から形成されていても良く、着色剤により、不透光性の輪郭表面であっても良い。また、本願発明は、一体成形型の装飾造形物に限定されない。
【産業上の利用可能性】
【００４９】
この発明は、装飾置物に限らず、例えば、壁掛け、ストラップ用チャーム、装飾マグネットなどにも適用でき、さらには、例えば、表示機能を備える装飾造形物にも適用できる。
【符号の説明】
【００５０】
７、１１、１５、６８        フクロウ置物（装飾造形物）
１９        樹上フクロウ置物（装飾造形物）
２５        キョウリュウ置物（装飾造形物）
２９、３５        ゾウ置物（装飾造形物）
４２        トナカイ置物（装飾造形物）
５１        天道虫置物（装飾造形物）
５４        花置物（装飾造形物）
５８        イチゴ置物（装飾造形物）
６２        カタツムリ置物（装飾造形物）
９、１３、１７、２１、２７、７０        光ファイバ（ライトガイド部材）
９ａ、１３ａ、１７ａ、２１ａ、２７ａ        光入射部（光入射端面）
９ｂ、１３ｂ、１７ｂ、２１ｂ、２７ｂ        光ガイド部
９ｃ、１３ｃ、１７ｃ、２１ｃ、２７ｃ        光出射部（光出射端面）
１０、１４、１８、２３、２８        瞳（所定の特徴部位）
Ｌｉ        外部光（外部から到来する光）
Ｌｏ        輝き（意匠光）
【図１】
0005149432.tif 000002
【図２】
0005149432.tif 000003
【図３】
0005149432.tif 000004
【図４】
0005149432.tif 000005
【図５】
0005149432.tif 000006
【図６】
0005149432.tif 000007
【図７】
0005149432.tif 000008
【図８】
0005149432.tif 000009
【図９】
0005149432.tif 000010
【図１０】
0005149432.tif 000011
【図１１】
0005149432.tif 000012
【図１２】
0005149432.tif 000013
【図１３】
0005149432.tif 000014
【図１４】
0005149432.tif 000015
【図１５】
0005149432.tif 000016
【図１６】
0005149432.tif 000017